(57)【要約】【課題】空調機の負担の軽減、消費電力の低減を図ることができる外壁壁体内に通気層を有する建物の換気システムを提供することを課題とする。【解決手段】床下の空気を室内に取り込む床下給気口１４と、外気を室内に取り込む外気給気口１２と、外壁壁体内の通気層の空気を室内に取り込む通気層給気口１１が設けられ、床下１３、外気８、外壁壁体内の通気層９の各部の温度を測定する温度センサ１６がそれぞれ設けられており、各部の温度を測定する温度センサ１６により検出される温度情報に基づいて、床下給気口１４、外気給気口１２、通気層給気口１１のなかから最適な空気導入箇所を選択する制御手段１７を有する。【選択図】    図１
2008303529.tif 000002
【特許請求の範囲】
【請求項１】
外壁壁体内に通気層を有する建物の換気システムであって、
床下の空気を室内に取り込む床下給気口と、
外気を室内に取り込む外気給気口と、
外壁壁体内の通気層の空気を室内に取り込む通気層給気口が設けられ、
床下、外気、外壁壁体内の通気層の各部の温度を測定する温度センサがそれぞれ設けられ、
前記各部の温度を測定する温度センサにより検出される温度情報に基づいて、床下給気口、外気給気口、通気層給気口のなかから最適な空気導入箇所を選択する制御手段からなることを特徴とする建物の換気システム。
【請求項２】
前記制御手段の設定が温風と冷風に切り替え可能とされ、
温風に設定された場合、前記各部の温度を測定する温度センサにより検出される温度情報に基づいて、床下給気口、外気給気口、通気層給気口のなかから最も温度の高い空気導入箇所から空気を導入し、
冷風に設定された場合、前記各部の温度を測定する温度センサにより検出される温度情報に基づいて、床下給気口、外気給気口、通気層給気口のなかから最も温度の低い空気導入箇所から空気を導入、
する請求項１に記載の建物の換気システム。
【発明の詳細な説明】
【技術分野】
【０００１】
本発明は、外壁壁体内に通気層を有する建物の換気システムに関する。
【背景技術】
【０００２】
建物内の換気を行うにあたって、外部から直接外気を取り入れて換気を行ったり、基礎断熱工法を採用した建物では、夏場の床下の冷たい空気や冬場の床下の暖かい空気を利用して換気を行うといったことが行われている。
【０００３】
【特許文献１】特開２００３−１８５２０７号公報
【発明の開示】
【発明が解決しようとする課題】
【０００４】
しかし、外気の温度は季節や一日の時間によっても大きく変動し、夏場は高温の空気が室内に入り、一方冬場は冷たい空気が室内に入り込む。換気による室内温度の変動が大きいと、空調機の室内温度の変動に対する負荷も大きくなり、消費電力が増加するとともに、設定する空調機の能力も大きいものとしなければならない。
【０００５】
本発明は、以上のような問題点に鑑み、換気の空気導入にあたり最適な箇所を選択することによって、室内の空気変動を抑制し、空調機の負担の軽減、消費電力の低減を図ることができる外壁壁体内に通気層を有する建物の換気システムを提供することを課題とする。
【課題を解決するための手段】
【０００６】
夏場においては、外気よりも床下のほうが気温が低いことは一般的に知られていることであるが、発明者は、外壁壁体内に通気層を有する建物の各部の温度を測定し検討した結果、冬場、特に冬場の日中においては、外気よりも外壁壁体内の通気層の温度の方が高いという事実をつきとめた。本発明は、まさにこの事実に基づいてなされたものである。
【０００７】
上記の課題は、外壁壁体内に通気層を有する建物の換気システムであって、
床下の空気を室内に取り込む床下給気口と、
外気を室内に取り込む外気給気口と、
外壁壁体内の通気層の空気を室内に取り込む通気層給気口が設けられ、
床下、外気、外壁壁体内の通気層の各部の温度を測定する温度センサがそれぞれ設けられ、
前記各部の温度を測定する温度センサにより検出される温度情報に基づいて、床下給気口、外気給気口、通気層給気口のなかから最適な空気導入箇所を選択する制御手段からなることを特徴とする建物の換気システムにより解決される。
【０００８】
本建物の換気システムによれば、床下の空気を室内に取り込む床下給気口と、外気を室内に取り込む外気給気口と、外壁壁体内の通気層の空気を室内に取り込む通気層給気口のいずれかから、各部の温度を測定する温度センサにより検出される温度情報に基づいて最適な空気導入箇所を選択する制御手段により、最適な空気導入箇所を選択し空気が導入されるため、換気による室内の空気変動を抑制することができ、空調機の負担の軽減、消費電力の低減を図ることができる。
【０００９】
また、上記の解決手段において、
前記制御手段の設定が温風と冷風に切り替え可能とされ、
温風に設定された場合、前記各部の温度を測定する温度センサにより検出される温度情報に基づいて、床下給気口、外気給気口、通気層給気口のなかから最も温度の高い空気導入箇所から空気を導入し、
冷風に設定された場合、前記各部の温度を測定する温度センサにより検出される温度情報に基づいて、床下給気口、外気給気口、通気層給気口のなかから最も温度の低い空気導入箇所から空気を導入、
できるようになされているとよい。
【００１０】
前記制御手段の設定が温風と冷風に切り替え可能とされているため、床下の空気を室内に取り込む床下給気口と、外気を室内に取り込む外気給気口と、外壁壁体内の通気層の空気を室内に取り込む通気層給気口のいずれかから、各部の温度を測定する温度センサにより検出される温度情報に基づいて、室内の温度環境に与える影響を低くした換気を行うことができ、より効果的に換気による室内の空気変動を抑制することができ、空調機の負担の軽減、消費電力の低減を図ることができる。
【発明の効果】
【００１１】
本発明は以上のとおりであるから、換気の空気導入にあたり最適な箇所を選択することによって、換気による室内の空気変動を抑制し、空調機の負担の軽減、消費電力の低減を図ることができる外壁壁体内に通気層を有する建物の換気システムを提供することができる。
【発明を実施するための最良の形態】
【００１２】
次に、本発明の実施最良形態を図面に基づいて説明する。
【００１３】
図１、２に示す外壁壁体内に通気層を有する建物の換気システム１において、２は建物、３は外壁、４は基礎、５は１階床面、６は２階床面、７は室内、８は外部である。
【００１４】
建物２の外壁３は内部に空気が通る外壁通気層９を有する。外壁３の外壁通気層９への空気の通気は、外壁３の下端部と基礎４との境界に設けられた空気取り入れ口１０から取り込まれ、外壁３の内部の外壁通気層９を通って、１階の外壁から２階の外壁まで抜け軒先部１８へ排出される。
【００１５】
外壁３には、外壁通気層９内の空気を室内に取り込むための通気層給気口１１が建物２の１階、２階の各階に一箇所づつ設けられている。
【００１６】
外壁３には、外部８の空気を室内に取り込むための外気給気口１２が建物２の１階、２階の各階に一箇所づつ設けられている。
【００１７】
建物２の１階の床面５には床下空間１３の空気を室内に取り込むための床下給気口１４が設けられている。また、２階の床面６には１階の室内７と連通する通気口１５が設けられている。
【００１８】
図２に示す制御手段のように、通気層給気口１１,１１、外気給気口１２，１２、床下給気口１４のそれぞれには、後述する制御部からの信号により、空気の流入口を自在に開閉する図示しない開閉手段が設けられ、各部からの空気の取り入れを制御することができるようになされている。
【００１９】
通気層給気口１１，１１、外気給気口１２，１２、床下給気口１４のそれぞれの空気の流入口の開閉は制御手段により次のようにしてなされる。外部８、外壁通気層９、床下空間１３の各部の温度を測定する温度センサ１６がそれぞれ設けられ、各温度センサ１６で測定された各部の温度は制御部１７へと送られる。制御部１７は送られてきた温度情報と予め設定された温風か冷風かの条件により、各部の空気取り入れ口の開閉を判断し、開閉手段により各部の空気取り入れ口の開閉を行う。
【００２０】
例えば、予め条件を温風に設定した場合、通気層給気口１１，１１、外気給気口１２，１２、床下給気口１４の各部の温度のうち、最も温度の高い箇所からの空気を導入するため、最も温度の高い箇所の給気口を開け、その他の給気口を閉じる制御を行う。
一方、予め条件を冷風に設定した場合、通気層給気口１１，１１、外気給気口１２，１２、床下給気口１４の各部の温度のうち、最も温度の低い箇所からの空気を導入するため、最も温度の低い箇所の給気口を開け、その他の給気口を閉じる制御を行う。
【００２１】
図３は、通気層給気口１１，１１を開け、外気給気口１２，１２と床下給気口１４を閉じ、外壁通気層９内の空気を通気層給気口１１，１１を通じて換気している状況を示す。
【００２２】
本実施例によれば、床下の空気を室内に取り込む床下給気口と、外気を室内に取り込む外気給気口と、外壁壁体内の通気層の空気を室内に取り込む通気層給気口のいずれかから、各部の温度を測定する温度センサにより検出される温度情報に基づいて最適な空気導入箇所を選択する制御手段により、最適な空気導入箇所を選択し空気が導入することができる。本実施形態のように外壁壁体内に通気層を有する建物の場合、冬場、特に冬場の日中においては、外気よりも外壁壁体内の通気層の温度の方が高いという事実から、暖かい空気を室内に取り込むことができるため、換気による室内の空気変動を抑制することができ、空調機の負担の軽減、消費電力の低減を図ることができる。
【００２３】
以上に、本発明の実施形態を示したが、本発明はこれに限られるものではなく、発明思想を逸脱しない範囲で各種の変更が可能である。例えば、上記の実施形態では、通気層給気口１１と外気給気口１２を異なる壁面に設置した場合について示したが、通気層給気口１１と外気給気口１２を同一壁面内に設けてもよい。また、その際室内側へ通じる共通の給気口を利用し、外壁通気層８からの空気と外気８からの空気を選択若しくは共に閉鎖できる制御弁が設けられていてもよい。
【００２４】
また、それぞれの給気口の制御手段による開閉方法に特に制限はなく、換気方法もパッシブ換気であってもよいし、ファンによる開閉を兼ねたアクティブ換気であってもよい。
【００２５】
また、空気を取り入れる給気口は床下給気口、外気給気口、通気層給気口のうちのどれか一つに限られるわけではなく、環境に応じて２箇所で換気してもよく、３箇所すべてを利用して換気してもよい。
【００２６】
また、上記実施形態では、制御手段の設定条件が温風と冷風の設定の場合のみを示したが、制御手段への設定条件を多段階に設けてもよいし、基準温度の設定とし、室内の温度との関係で室内環境が低負荷で最適となるような制御がされてもよい。
【００２７】
本発明の目的は、いままで着目されなかった外壁壁体内に通気層を有する建物の冬場、特に冬場の日中においては、外気よりも外壁壁体内の通気層の温度の方が高いという事実をもとに利用してなされたものであり、床下空間、外部、外壁通気層のなかから最適な空気を利用して換気することにある。
【図面の簡単な説明】
【００２８】
【図１】本発明の実施状況を示す図であって、各給気口で換気している状況を示す断面側面図である。
【図２】本発明の制御手段の構成を示す説明図である。
【図３】本発明の実施状況を示す図であって、通気層給気口で換気している状況を示す断面側面図である。
【符号の説明】
【００２９】
１・・・建物の換気システム
２・・・建物
７・・・室内
８・・・外部
９・・・外壁通気層
１１・・・通気層給気口
１２・・・外気給気口
１３・・・床下空間
１４・・・床下給気口
１６・・・温度センサ
１７・・・制御手段
【図１】
2008303529.tif 000003
【図２】
2008303529.tif 000004
【図３】
2008303529.tif 000005